(57)【要約】  【課題】防護柵の支柱及び側壁に連続した花器を装着させることができ防護柵や道路、街の景観を改善することができ、また風や振動等の外力が加わっても落下するおそれがなく安定性に優れ、さらに防護柵の厚さと略等しい厚さで花器を設置させることができ、道路を狭めることなく交通の障害にならず安全性にも優れる低原価で量産可能な防護柵用花壇を提供することを目的とする。  【解決手段】本発明は、防護柵の支柱の頂部に被装される支柱被装部と、前記支柱被装部の上部に配設された花器第１載置部と、を有する花器第１支持部材と、複数の前記花器第１支持部材の前記第１載置部に載置され前記防護柵の側壁の長手方向に沿って架設される花器と、備える。  【選択図】  図１
2005287427.tif 000002
【特許請求の範囲】
【請求項１】
防護柵の支柱の頂部に被装される支柱被装部と、前記支柱被装部の上部に配設された花器第１載置部と、を有する花器第１支持部材と、
複数の前記花器第１支持部材の前記第１載置部に載置され前記防護柵の側壁の長手方向に沿って架設される花器と、
を備えていることを特徴とする防護柵用花壇。
【請求項２】
前記花器第１支持部材の前記支柱被装部が、前記支柱の上面に当接する上面当接部と、前記上面当接部の端部の下方に配設され前記支柱の側面を挟持する側面挟持部と、前記側面挟持部に環装され前記側面挟持部を前記支柱の側面に圧接する圧接部と、を備えていることを特徴とする請求項１に記載の防護柵用花壇。
【請求項３】
前記花器第１支持部材が、前記花器第１載置部の先端に形成され前記花器の上端を係止する係止片を備えていることを特徴とする請求項１又は２に記載の防護柵用花壇。
【請求項４】
前記防護柵の前記側壁に掛止される側壁掛止部と、前記側壁掛止部の側部に配設固定され前記花器が載置される花器第２載置部と、を有する花器第２支持部材を備えていることを特徴とする請求項１乃至３の内いずれか１に記載の防護柵用花壇。
【請求項５】
前記花器第２支持部材が、前記花器第２載置部の側部に前記防護柵の前記側壁の歩道側に当接する側壁当接部を備えていることを特徴とする請求項４に記載の防護柵用花壇。
【請求項６】
前記花器が、横断面が凹状に形成され少なくとも長手方向の一端が開放された培地収納部と、前記培地収納部の端部に配設固定される蓋部と、を備えていることを特徴とする請求項１乃至５の内いずれか１に記載の防護柵用花壇。
【発明の詳細な説明】
【技術分野】
【０００１】
本発明は、ガードレールやガードパイプ等の防護柵のビームやパイプ等の側壁に沿って花器を設置する防護柵用花壇に関するものである。
【背景技術】
【０００２】
従来より、道路の景観を美しくし歩行者及び自動車運転手等に安らぎを与えるものとして、道路沿いに花壇等が設けられている。しかし、花壇等に咲いた花がガードレール等の防護柵に隠されてしまったり、道路の一部が花壇等に占有されて狭められ歩行等が妨げられたりするという問題があった。
そこで、近年、ガードレール等の防護柵に沿って植木鉢を設置したり、防護柵にプランターを設けたりする技術が提案されている。
従来の技術としては、例えば（特許文献１）に「ガードレールの支柱の上端部に嵌合される筒状の支持体と、前記支持体の下端部に形成されボルト・ナット等を抜け止め状態に係止する係止片からなる係止部と、前記支持体の側面部に取着され植木鉢の上端縁部を受ける載置部と、を備えた植木鉢載置装置」が開示されている。
（特許文献２）に「ガードレールの側面に係止したフック部材で植物を植えるプランター等の容器を支持したガードレール」が開示されている。
（特許文献３）には「防護柵の支柱の上部を側方から固定するブラケットと、前記ブラケット間に固定され上面に開口した箱と、を備えた防護柵用花壇」が開示されている。
【特許文献１】実用新案登録第２５１２６４２号公報
【特許文献２】実開平４−９２０２１号公報
【特許文献３】特開平７−３２２７６０号公報
【発明の開示】
【発明が解決しようとする課題】
【０００３】
しかしながら上記従来の技術においては、以下のような課題を有していた。
（１）（特許文献１）に開示の技術は、ガードレールの支柱の部分にしか植木鉢を載置することができず植物が支柱の部分に点在するだけであり、支柱以外の箇所はビーム（側壁）が剥き出しのままなので、ガードレールの景観を改善することができないという課題を有していた。
（２）（特許文献２）に開示の技術は、ガードレールの側壁に係止したフック部材でプランター等を支持するものなので、ガードレールの支柱の部分にはプランター等が配置できず、プランター等が支柱で分断されるという課題を有していた。
（３）（特許文献３）に開示の技術は、支柱に固定されたブラケットによって、ブラケット間に固定された箱に植物を配置することができるが、箱が支柱で分断されガードレールに沿って連続していないので、ガードレールの支柱の部分には植物を配置できず、ガードレールに沿って連続して植物を植栽できないという課題を有していた。
【０００４】
本発明は上記従来の課題を解決するもので、防護柵の支柱及び側壁に連続した花器を装着させることができ防護柵や道路、街の景観を改善することができ、また風や振動等の外力が加わっても落下するおそれがなく安定性に優れ、さらに防護柵の厚さと略等しい厚さで花器を設置させることができ、道路を狭めることなく交通の障害にならず安全性にも優れる低原価で量産可能な防護柵用花壇を提供することを目的とする。
【課題を解決するための手段】
【０００５】
上記従来の課題を解決するために本発明の防護柵用花壇は、以下の構成を有している。
本発明の請求項１に記載の防護柵用花壇は、防護柵の支柱の頂部に被装される支柱被装部と、前記支柱被装部の上部に配設された花器第１載置部と、を有する花器第１支持部材と、複数の前記花器第１支持部材の前記第１載置部に載置され前記防護柵の側壁の長手方向に沿って架設される花器と、を備えた構成を有している。
この構成により、以下のような作用が得られる。
（１）防護柵の側壁の長手方向に沿って防護柵の支柱の上部に花器が架設されるので、防護柵の支柱及び側壁に連続した花器を装着させることができ防護柵や道路、街の景観を改善することができる。
（２）花器が、防護柵の支柱の頂部に被装される花器第１支持部材に架設されるので、風や振動等の外力が加わっても落下するおそれがなく安定性に優れる。
（３）花器が、空間を利用して支柱の頂部に被装される花器第１支持部材に架設されるので、防護柵の厚さと略等しい厚さで花器を設置させることができ、道路を狭めることなく交通の障害にならず安全性に優れる。
【０００６】
ここで、防護柵としては、路側や歩道等に設置され、支柱と支柱に固定されたビームとを有するガードレール、支柱と支柱に固定されたパイプとを有するガードパイプ等の支柱とビームやパイプ等の側壁とを有するものが用いられる。
【０００７】
花器第１支持部材の支柱被装部としては、（ａ）キャップ状や笠状等に形成され防護柵の支柱の頂部に冠着されるもの、（ｂ）防護柵の支柱の上面に当接される上面当接部と、上面当接部の両端から下方に配設され支柱の側面に当接して支柱を挟着するもの等が用いられ、合成樹脂製や金属製で形成される。
なお、支柱被装部は、支柱の頂部に合成樹脂製等のシートや布で形成された袋状体を被せた上から被装するのが好ましい。支柱に傷が付くのを防止するためである。
【０００８】
花器第１載置部としては、支柱被装部の上部に配設され防護柵の側壁の長手方向側が開放されているものが用いられる。複数の花器第１支持部材の花器第１載置部に長尺の花器を架設するためである。
【０００９】
花器としては、横断面が略矩形状や略Ｕ字状等の凹状に形成された長尺状のもの（例えば、樋、箱樋等）が用いられる。防護柵の支柱に設置された花器第１支持部材の花器第１載置部に架設させるためである。
なお、花器は、所定の長さに形成された花器の端部の開放部同士を、連結材で連結して必要な長さの長尺状に形成することができる。また、端部の開放部には、蓋部を装着することができる。
【００１０】
本発明の請求項２に記載の発明は、請求項１に記載の防護柵用花壇であって、前記花器第１支持部材の前記支柱被装部が、前記支柱の上面に当接する上面当接部と、前記上面当接部の端部の下方に配設され前記支柱の側面を挟持する側面挟持部と、前記側面挟持部に環装され前記側面挟持部を前記支柱の側面に圧接する圧接部と、を備えた構成を有している。
この構成により、請求項１で得られる作用に加え、以下のような作用が得られる。
（１）支柱被装部が、支柱の上面に当接する上面当接部と、上面当接部の端部の下方に配設され支柱の側面を挟持する側面挟持部と、側面挟持部に環装され側面挟持部を支柱の側面に圧接する圧接部と、を有しているので、圧接部によって側面挟持部で支柱の側面を強力に挟持して花器第１支持部材の支柱被装部を防護柵の支柱に被装することができ、ガタツキ等が生じず強固に固定させることができ安定性に優れる。
【００１１】
ここで、上面当接部としては、支柱の上面に当接する板状体や帯状体等で形成されたものが用いられる。
側面挟持部としては、金属製や合成樹脂製等で形成され上面当接部の端部の下方に配設された複数の帯状体や板状体等が用いられる。
【００１２】
圧接部としては、側面挟持部の所定部に少なくとも一端部が固定され合成樹脂製や金属製等で形成された帯状体や線条体を用いることができる。このような圧接部は所定箇所を締結して側面挟持部を支柱の側面に圧接することができる。また、結束バンドのように鋸歯状の凹凸を有する外れ止めを形成することもできる。
また、側面挟持部とは別個に形成され、ゴム製や合成樹脂製等で形成され支柱と側面挟持部とを環装する帯状体、合成樹脂製や金属製等で形成された結束バンド等の鋸歯状の凹凸を有する帯状体等の環装部材を用いることができる。いずれも縮径することで側面挟持部を支柱に圧接させるものである。
【００１３】
なお、帯状の鋼材や合成樹脂製板等で形成され花器第１載置部の側部に基部が溶接や接着等で固着され他端側が支柱の側面に当接する側面支持部を備え、これを側面挟持部と一緒に圧接部で圧接するようにすると、ガタツキ等が生じず、より強固に支柱に固定させることができ安定性に優れる。
【００１４】
本発明の請求項３に記載の発明は、請求項１又は２に記載の防護柵用花壇であって、前記花器第１支持部材が、前記花器第１載置部の先端に形成され前記花器の上端を係止する係止片を備えた構成を有している。
この構成により、請求項１又は２で得られる作用に加え、以下のような作用が得られる。
（１）花器第１支持部材が、花器第１載置部の先端に形成され花器の上端を係止する係止片を備えているので、花器を花器第１載置部から外れ難くすることができ、花器が落下したりガタツキが生じたりするのを防止できる。
【００１５】
ここで、係止片としては、花器第１載置部の先端を花器の上端の形状に合わせて内側に折曲させたものが好適に用いられる。容易に形成できるからである。
【００１６】
本発明の請求項４に記載の発明は、請求項１乃至３の内いずれか１に記載の防護柵用花壇であって、前記防護柵の前記側壁に掛止される側壁掛止部と、前記側壁掛止部の側部に配設固定され前記花器が載置される花器第２載置部と、を有する花器第２支持部材を備えた構成を有している。
この構成により、請求項１乃至３の内いずれか１で得られる作用に加え、以下のような作用が得られる。
（１）花器第２支持部材を有しているので、防護柵の支柱間の距離が長い場合等に支柱間の側壁に掛止して花器を支持することで、架設された花器が下方や側方に撓むのを防止し安定性に優れる。
【００１７】
ここで、側壁掛止部としては、防護柵のビームやパイプ等の側壁の形状に応じフック状や鉤状等の掛止可能な形状に形成されたものが用いられる。
【００１８】
花器第２載置部としては、帯鋼等の帯状体等や板状体、合成樹脂製等で略矩形状や略Ｕ字状等の凹状に形成され、側壁掛止部の側部に配設された際に防護柵の側壁の長手方向側が開放されているものが用いられる。花器を架設するためである。
【００１９】
花器第２支持部材の凹状に形成された花器第２載置部は、凹状の底部が花器第１支持部材の花器第１載置部の底部と略同一の高さで防護柵に配置される。また、花器第２載置部の側部と防護柵の側壁との間隔が、花器第１支持部材の花器第１載置部の側部と防護柵の側壁との間隔と略同一の間隔に配置される。このような関係を満足するように、側壁掛止部と花器第２載置部との位置関係が決定される。花器を側壁に沿って直線状に配設するためである。
【００２０】
本発明の請求項５に記載の発明は、請求項４に記載の防護柵用花壇であって、前記花器第２支持部材が、前記花器第２載置部の側部に前記防護柵の前記側壁に当接する側壁当接部を備えた構成を有している。
この構成により、請求項４で得られる作用に加え、以下のような作用が得られる。
（１）花器第２支持部材が、花器第２載置部の側部に防護柵の側壁に当接する側壁当接部を備えているので、花器第２載置部を防護柵の側壁と所定の間隔をあけて安定に配置することができ安定性に優れる。
（２）花器第２支持部材が側壁当接部を備えているので、花器第２載置部の位置を安定に維持することができ、この結果、側壁掛止部を防護柵の側壁から外れ難くすることができる。
【００２１】
ここで、側壁当接部としては、花器第２載置部から側方の斜め下方に延設されたものが用いられる。これにより。花器第２載置部に載置された花器の重量で、側壁当接部が防護柵の側壁に当接するとともに側壁掛止部が側壁に掛止されるので、上下左右にガタつかずズレたりすることもなく安定して花器を支持することができる。
【００２２】
本発明の請求項６に記載の発明は、請求項１乃至５の内いずれか１に記載の防護柵用花壇であって、前記花器が、横断面が凹状に形成され少なくとも長手方向の一端が開放された培地収納部と、前記培地収納部の端部に配設固定される蓋部と、を備えた構成を有している。
この構成により、請求項１乃至６の内いずれか１で得られる作用に加え、以下のような作用が得られる。
（１）花器が、横断面が凹状に形成され少なくとも長手方向の一端が開放された培地収納部と、培地収納部の端部に配設固定される蓋部と、を備えているので、所定の長さに形成された培地収納部を用意して端部に蓋部を配設固定すれば、長尺の花器を形成させることができ、容易に防護柵の支柱の上部に連続した花壇を形成でき防護柵の景観を改善させることができる。
【００２３】
ここで、培地収納部としては、横断面が略矩形状、略Ｕ字状、略Ｖ字状、略台形状等の凹状に形成されたものが用いられる。箱樋、合成樹脂製等で形成されたパイプを半割にしたもの等も用いることができる。所定箇所に水抜き用の孔部を形成することもできる。
培地収納部には、植物の生育に適した配合土，砂，ピートモス，バーミキュライト，パーライト，ロックウール成形品，発泡尿素樹脂等の種々の培地を収納する。
【発明の効果】
【００２４】
以上のように、本発明の防護柵用花壇によれば、以下のような有利な効果が得られる。
請求項１に記載の発明によれば、
（１）防護柵の側壁の長手方向に沿って防護柵の支柱の上部に花器が架設されるので、防護柵の支柱及び側壁に連続した花器を装着させることができ防護柵や道路、街の景観を改善することができる防護柵用花壇を提供することができる。
（２）花器が、防護柵の支柱の頂部に被装される花器第１支持部材に架設されるので、風や振動等の外力が加わっても落下するおそれがなく安定性に優れた防護柵用花壇を提供することができる。
（３）花器が、空間を利用して支柱の頂部に被装される花器第１支持部材に架設されるので、防護柵の厚さと略等しい厚さで花器を設置させることができ、道路を狭めることなく交通の障害にならず安全性に優れた防護柵用花壇を提供することができる。
【００２５】
請求項２に記載の発明によれば、請求項１の効果に加え、
（１）支柱被装部が、支柱の上面に当接する上面当接部と、上面当接部の端部の下方に配設され支柱の側面を挟持する側面挟持部と、側面挟持部に環装され側面挟持部を支柱の側面に圧接する圧接部と、を有しているので、圧接部によって側面挟持部で支柱の側面を強力に挟持して花器第１支持部材の支柱被装部を防護柵の支柱に被装することができ、ガタツキ等が生じず強固に固定させることができ安定性に優れた防護柵用花壇を提供することができる。
【００２６】
請求項３に記載の発明によれば、請求項１又は２の効果に加え、
（１）花器第１支持部材が、花器第１載置部の先端に形成され花器の上端を係止する係止片を備えているので、花器を花器第１載置部から外れ難くすることができ、花器が落下したりガタツキが生じたりするのを防止できる安定性に優れた防護柵用花壇を提供することができる。
【００２７】
請求項４に記載の発明によれば、請求項１乃至３の内いずれか１の効果に加え、
（１）花器第２支持部材を有しているので、防護柵の支柱間の距離が長い場合等に支柱間の側壁に掛止して花器を支持することで、架設された花器が下方や側方に撓むのを防止し安定性に優れた防護柵用花壇を提供することができる。
【００２８】
請求項５に記載の発明によれば、請求項４の効果に加え、
（１）花器第２支持部材が、花器第２載置部の側部に防護柵の側壁に当接する側壁当接部を備えているので、花器第２載置部を防護柵の側壁と所定の間隔をあけて安定に配置することができ安定性に優れた防護柵用花壇を提供することができる。
（２）花器第２支持部材が側壁当接部を備えているので、花器第２載置部の位置を安定に維持することができ、この結果、側壁掛止部を防護柵の側壁から外れ難くすることができ安定性に優れた防護柵用花壇を提供することができる。
【００２９】
請求項６に記載の発明によれば、請求項１乃至５の内いずれか１の効果に加え、
（１）花器が、横断面が凹状に形成され少なくとも長手方向の一端が開放された培地収納部と、培地収納部の端部に配設固定される蓋部と、を備えているので、所定の長さに形成された培地収納部を用意して端部に蓋部を配設固定すれば、長尺の花器を形成させることができ、容易に防護柵の支柱の上部に連続した花壇を形成でき防護柵の景観を改善できる防護柵用花壇を提供することができる。
【発明を実施するための最良の形態】
【００３０】
以下、本発明を実施するための最良の形態を、図面を参照しながら説明する。
（実施の形態１）
図１は本発明の実施の形態１における防護柵用花壇を防護柵に設置した状態を示す斜視図であり、図２は実施の形態１における防護柵用花壇の花器を除いた斜視図であり、図３は実施の形態１における防護柵用花壇の花器第１支持部材の側面図であり、図４は実施の形態１における防護柵用花壇の花器第２支持部材の側面図である。
図１において、１は本発明の実施の形態１における防護柵用花壇、１００はガードレール等の防護柵、１０１は防護柵１００の支柱、１０２は支柱１０１に固着されたブラケット、１０３は支柱１０１にブラケット１０２を介して固定されたビームからなる側壁、２は支柱１０１の頂部に被装された花器第１支持部材、１０は側壁１０３の上部に掛止された花器第２支持部材、２０は花器第１支持部材２及び花器第２支持部材１０に載置され防護柵１００の側壁１０３の長手方向に沿って架設された花器、２１は合成樹脂製や金属製等で横断面が略台形状の凹状に形成され長手方向の少なくとも一端が開放された箱樋状に形成された花器２０の培地収納部、２２は培地収納部２１の端部に配設固定された蓋部、２３は花器２０の培地収納部２１に収納された配合土等の培地、２４は培地２３に植栽された植物である。
なお、本実施の形態においては、培地収納部２１の幅は支柱１０１の太さと略同一に形成されている。また、培地収納部２１の高さは、支柱１０１の上面から側壁１０３の上端までの距離よりわずかに高く形成されている。
【００３１】
図２、図３において、２は花器第１支持部材、３は花器第１支持部材２を支柱１０１の頂部に被装する支柱被装部（図３）、４は帯状の鋼材や合成樹脂板等で形成され支柱１０１の頂部の上面に当接する上面当接部、５は上面当接部４の両端で下方に略９０°折曲して形成され支柱１０１の側面を挟持する帯状の側面挟持部、６は帯状の鋼材や合成樹脂板等を折曲して略台形状の凹状に形成され底部が上面当接部４の上面に上面当接部４と略直交して溶接等で固着された花器第１載置部、７は帯状の鋼材等で形成され花器第１載置部６の側部に基部が溶接や接着等で固着され他端側が支柱１０１の歩道側の側面に当接する側面支持部、７ａは側面支持部７の対面に位置し側面挟持部５，側面支持部７が配設されていない側面開放部、８は側面挟持部５，側面支持部７と支柱１０１とに環装され側面挟持部５，７を支柱１０１に圧接し固定する合成樹脂製や金属製等で形成された帯状体からなる結束バンド等の圧接部、９は花器第１載置部６の歩道側の先端が内側に折曲されて形成され花器２０の培地収納部２１の上端を係止する係止片、９ａは花器第１載置部６の側壁１０３側の先端に溶接や接着等によって固着され形成された係止片である。
【００３２】
図２、図４において、１０は花器第２支持部材、１１は帯状の鋼材等で一端が鉤状に形成され防護柵１００の側壁１０３の上部に掛止される側壁掛止部、１２は側壁掛止部１１の掛止腕部、１３は掛止腕部１２が所定角度で折曲された腕基部、１４は腕基部１３から斜め下方に延設された当接腕部、１５は当接腕部１４の先端に折曲げ形成され防護柵１００の側壁１０３の歩道側に当接する側壁当接部、１６は帯状の鋼材等を折曲して略台形状の凹状に形成され側部が腕基部１３を介して側壁掛止部１１に溶接等で固着された花器第２載置部、１７は花器第２載置部１６の歩道側の先端が内側に折曲されて形成され花器２０の培地収納部２１の上端を係止する係止片、１７ａは花器第２載置部１６の側壁１０３側の先端に溶接等によって形成された係止片である。
【００３３】
以上のように構成された本発明の実施の形態１における防護柵用花壇について、以下その防護柵への設置方法を説明する。
まず、支柱１０１の歩道側から花器第１支持部材２を支柱１０１に設置する。花器第１支持部材２の支柱被装部３の側面開放部７ａから支柱１０１の頂部に花器第１支持部材２を被せるようにして、上面当接部４を支柱１０１の頂部の上面に当接させるとともに側面挟持部５，側面支持部７を支柱１０１の側面に当接させる。次いで、防護柵１００の側壁１０３の長手方向側が開放されるように花器第１載置部６の向きを調整した後、圧接部８を支柱１０１の頂部に環装し、側面挟持部５，側面支持部７で支柱１０１を挟持させて支柱１０１に花器第１支持部材２の支柱被装部３を固定する。防護柵１００の他の支柱にも、同様にして花器第１支持部材２を被装する。
次に、花器第１支持部材２が被装された支柱１０１間の側壁１０３の歩道側の所定箇所に花器第２支持部材１０を掛止していく。
次に、所定の長さに形成された花器２０の培地収納部２１の長手方向の端部から花器第１載置部６，花器第２載置部１６に滑り込ませるようにして、培地収納部２１の上端を花器第１載置部６の係止片９，９ａ，花器第２載置部１６の係止片１７，１７ａに係止させ、培地収納部２１を防護柵１００の側壁１０３に沿って配置し、防護柵１００の支柱１０１の上部に花器２０の培地収納部２１を架設させる。なお、花器２０の長手方向の開放端を図示しない連結材で連結して、連結させることができる。
培地収納部２１の端部に蓋部２２を配設固定した後、培地収納部２１に配合土等の培地２３を充填し、植物２４を植栽する。
【００３４】
以上のように、本発明の実施の形態１における防護柵用花壇は構成されているので、以下のような作用が得られる。
（１）防護柵１００の側壁１０３の長手方向に沿って防護柵１００の支柱１０１の上部に花器２０が架設されるので、防護柵１００の側壁１０３に沿って長尺の連続した花器２０を装着させることができ防護柵１００及び道路や街の景観を改善することができる。
（２）花器２０が、防護柵１００の支柱１０１の頂部に被装される花器第１支持部材２に架設されるので、風や振動等の外力が加わっても落下するおそれがなく安定性に優れる。
（３）花器２０が、空間を利用して支柱１０１の頂部に被装される花器第１支持部材２に架設されるので、防護柵１００の厚さと略等しい厚さで花器２０を設置させることができ、道路を狭めることなく交通の障害にならず安全性に優れる。
（４）支柱被装部３が、支柱１０１の上面に当接する上面当接部４と、上面当接部４の端部の下方に配設され支柱１０１の側面を挟持する側面挟持部５，側面支持部７と、側面挟持部５，側面支持部７に環装され側面挟持部５，側面支持部７を支柱１０１の側面に圧接する圧接部８と、を有しているので、圧接部８によって側面挟持部５，側面支持部７で支柱１０１の側面を強力に挟持して花器第１支持部材２の支柱被装部３を防護柵１００の支柱１０１に被装することができ、ガタツキ等が生じず強固に固定させることができ安定性に優れる。
（５）支柱被装部３が、支柱１０１の太さより幅広に形成された側面開放部７ａを有しているので、歩道側から支柱被装部３を容易に支柱１０１に被装させることができ設置作業性に優れる。
（６）花器第１支持部材２が、花器第１載置部６の先端に形成され培地収納部２１の上端を係止する係止片９，９ａを備えているので、花器２０を花器第１載置部６から外れ難くすることができ、花器２０が落下したりガタツキが生じたりするのを防止できる。
（７）花器第２支持部材１０を有しているので、防護柵１００の支柱１０１間の距離が長い場合等に支柱１０１間の側壁１０３に掛止して花器２０を支持することで、架設された花器２０が下方や側方に撓むのを防止し安定性に優れる。
（８）花器第２支持部材１０が、花器第２載置部１６の側部に防護柵１００の側壁１０３の歩道側に当接する側壁当接部１５を備えているので、花器第２載置部１６を防護柵１００の側壁１０３と所定の間隔をあけて安定に配置することができ安定性に優れる。
（９）花器第２支持部材１０が側壁当接部１５を備えているので、花器第２載置部１６の位置を安定に維持することができ、この結果、側壁掛止部１１を防護柵１００の側壁１０３から外れ難くすることができる。
（１０）花器２０が、横断面が凹状に形成され少なくとも長手方向の一端が開放された培地収納部２１と、培地収納部２１の端部に配設固定される蓋部２２と、を備えているので、所定の長さに形成された箱樋等の培地収納部２１を用意して端部に蓋部２２を配設固定すれば、長尺の花器２０を形成させることができ、容易に防護柵１００の支柱１０１の上部に連続した花壇を形成でき防護柵１００や道路、街の景観を改善させることができる。
（１１）花器第１支持部材２や花器第２支持部材１０が帯状の鋼材等を折曲して形成されているので、軽量で嵩張らないため搬送性に優れ施工性に優れる。
（１２）花器第１支持部材２の側面支持部７が帯状の鋼材等で形成され、花器第１載置部６の側部に基部が溶接等で固着され他端側が支柱１０１の歩道側の側面に当接するので、支柱被装部３の上部に配設された花器第１載置部６を補強することができ、花器第１載置部６が側壁１０３側や歩道側に倒れたりガタついたりするのを防止し耐久性を高めることができる。
【００３５】
なお、本実施の形態においては、花器第１載置部６の上端に係止片９，９ａが形成され、花器第２載置部１６の上端に係止片１７，１７ａが形成されている場合について説明したが、係止片９，９ａのいずれか一方だけを形成する場合もある。この場合は、花器２０の培地収納部２１を配設する際に、花器第１載置部６及び花器第２載置部１６の上方から培地収納部２１を嵌め込むようにして配設することができるので、設置作業性に優れる。
また、支柱１０１の間隔が狭い防護柵１００の場合には、花器第２支持部材１０を設けなくてもよい。
また、本実施の形態においては、防護柵１００としてガードレールを用いた場合について説明したが、ガードパイプに花器を設置し防護柵用花壇を形成する場合もある。この場合は、支柱の高さ、パイプの形状や高さに応じて、花器第１支持部材や花器第２支持部材の寸法等を適宜選択することができる。
また、花器第１支持部材２の上面当接部４，側面挟持部５，７、花器第２支持部材１０の側壁係止部１１，側壁当接部１５の防護柵１００の支柱１０１や側壁１０３に当接する箇所に、合成樹脂製やゴム製等で形成された弾性を有する緩衝材を配設する場合もある。これにより、防護柵１００の支柱１０１や側壁１０３と擦れ合って防護柵１００に傷等が生じるのを防止できるとともに、滑り難くして花器第１支持部材２や花器第２支持部材１０が防護柵１００から外れるのを防止できる。
【産業上の利用可能性】
【００３６】
本発明は、ガードレールやガードパイプ等の防護柵のビームやパイプ等の側壁に沿って花器を設置する防護柵用花壇に関し、防護柵の支柱及び側壁に連続した花器を装着させることができ防護柵の景観を改善することができ、また風や振動等の外力が加わっても落下するおそれがなく安定性に優れ、さらに防護柵の厚さと略等しい厚さで花器を設置させることができ、道路を狭めることなく交通の障害にならず安全性にも優れる防護柵用花壇を提供できる。
【図面の簡単な説明】
【００３７】
【図１】実施の形態１における防護柵用花壇を防護柵に設置した状態を示す斜視図
【図２】実施の形態１における防護柵用花壇の花器を除いた斜視図
【図３】実施の形態１における防護柵用花壇の花器第１支持部材の側面図
【図４】実施の形態１における防護柵用花壇の花器第２支持部材の側面図
【符号の説明】
【００３８】
１  防護柵用花壇
２  花器第１支持部材
３  支柱被装部
４  上面当接部
５  側面挟持部
６  花器第１載置部
７  側面支持部
７ａ  側面開放部
８  圧接部
９，９ａ  係止片
１０  花器第２支持部材
１１  側壁掛止部
１２  掛止腕部
１３  腕基部
１４  当接腕部
１５  側壁当接部
１６  花器第２載置部
１７，１７ａ  係止片
２０  花器
２１  培地収納部
２２  蓋部
２３  培地
２４  植物
１００  防護柵
１０１  支柱
１０２  ブラケット
１０３  側壁
【図１】
2005287427.tif 000003
【図２】
2005287427.tif 000004
【図３】
2005287427.tif 000005
【図４】
2005287427.tif 000006